(57)【要約】【課題】  構成が簡単で、軽量にして持ち運びが容易にでき、しかも、被写体の存在位置についての自由度が高い撮影装置の提供を目的とする。【解決手段】  撮影装置１は、長手方向に向かって伸縮可能とされ、その一端部２側が把持可能とされる支持ポール３と、この支持ポール３の全長Ｌを任意長さに保持可能とする保持具４と、この支持ポール３の他端部５側に支持されるカメラ７とを備える。支持ポールが、長手方向に列設されてこの長手方向で互いに摺動可能に嵌合する複数の筒状体を備える。【選択図】    図１
2005215350.tif 000002
【特許請求の範囲】
【請求項１】
長手方向に向かって伸縮可能とされ、その一端部側が把持可能とされる支持ポールと、この支持ポールの全長を任意長さに保持可能とする保持具と、この支持ポールの他端部側に支持されるカメラとを備えたことを特徴とする撮影装置。
【請求項２】
上記支持ポールが、上記長手方向に列設されてこの長手方向で互いに摺動可能に嵌合する複数の筒状体を備えたことを特徴とする請求項１に記載の撮影装置。
【請求項３】
上記各筒状体の横断面をそれぞれ長方形状にしたことを特徴とする請求項１、もしくは２に記載の撮影装置。
【請求項４】
上記支持ポールの全長を最大寸法としたとき、この支持ポールの上記他端部側から一端部側に向けて数値が直線的に漸増する目盛を上記支持ポールに付したことを特徴とする請求項１から３のうちいずれか１つに記載の撮影装置。
【発明の詳細な説明】
【技術分野】
【０００１】
本発明は、建築物の屋根上など、撮影のし難いところの被写体についての撮影を可能とさせる撮影装置に関するものである。
【背景技術】
【０００２】
上記撮影装置には、従来、次のように構成されたものがある。
【０００３】
即ち、上記撮影装置は、油圧式などの昇降台と、この昇降台上に設置されるカメラとを備え、建築物の屋根上など高所における被写体を撮影しようとするときには、上記昇降台の駆動によりカメラを屋根上にまで上昇させて撮影することが行われている。
【発明の開示】
【発明が解決しようとする課題】
【０００４】
ところで、上記撮影装置では、油圧式の昇降台を備えていて、構成が極めて複雑である。また、上記撮影装置は重いため、所望位置にまで持ち運びすることは容易でない。また、上記撮影装置は、例えば、建築物の床下や暗渠の内部における被写体を撮影する場合には使用することができず、つまり、被写体の存在位置についての自由度が低いという問題点がある。
【課題を解決するための手段】
【０００５】
本発明は、上記のような事情に注目してなされたもので、本発明の目的は、構成が簡単で、軽量にして持ち運びが容易にでき、しかも、被写体の存在位置についての自由度が高い撮影装置の提供を目的とすることである。
【０００６】
請求項１の発明は、長手方向に向かって伸縮可能とされ、その一端部２側が把持可能とされる支持ポール３と、この支持ポール３の全長Ｌを任意長さに保持可能とする保持具４と、この支持ポール３の他端部５側に支持されるカメラ７とを備えたものである。
【０００７】
請求項２の発明は、請求項１の発明に加えて、上記支持ポール３が、上記長手方向に列設されてこの長手方向で互いに摺動可能に嵌合する複数の筒状体１１―１５を備えたものである。
【０００８】
請求項３の発明は、請求項１、もしくは２の発明に加えて、上記各筒状体１１―１５の横断面をそれぞれ長方形状にしたものである。
【０００９】
請求項４の発明は、請求項１から３のうちいずれか１つの発明に加えて、上記支持ポール３の全長Ｌを最大寸法としたとき、この支持ポール３の上記他端部５側から一端部２側に向けて数値が直線的に漸増する目盛２２を上記支持ポール３に付したものである。
【００１０】
なお、この項において、上記各用語に付記した符号は、本発明の技術的範囲を後述の「実施例」の項の内容に限定解釈するものではない。
【発明の効果】
【００１１】
本発明による効果は、次の如くである。
【００１２】
請求項１の発明は、長手方向に向かって伸縮可能とされ、その一端部側が把持可能とされる支持ポールと、この支持ポールの全長を任意長さに保持可能とする保持具と、この支持ポールの他端部側に支持されるカメラとを備えている。
【００１３】
このため、例えば、建築物の屋根上など高所における被写体を撮影しようとするときには、上記支持ポールの全長を所望長さにまで伸長させて上記保持具によりその長さに保持させると共に、上記支持ポールの一端部側を把持して、この支持ポールを縦向き姿勢にさせ、次に、この支持ポールを静止させてこの支持ポールの他端部に支持したカメラにより、上記屋根上の被写体を撮影すればよく、このようにすれば、撮影のし難いところの被写体についての撮影が可能となる。
【００１４】
ここで、上記支持ポールは単にその長手方向に伸縮可能なものであることから、この支持ポールを主構成とする撮影装置は構成が簡単で、軽量にして持ち運びが容易にできるという利点がある。
【００１５】
また、上記支持ポールをその一端部側から他端部側に向けて下傾させ、もしくは、ほぼ水平にさせ、その一端部側を把持するなどしてこの支持ポールを静止させれば、建築物の床下や暗渠の内部に存在する被写体についての撮影ができ、つまり、この撮影装置によれば、被写体の存在位置についての自由度が高くなる。
【００１６】
請求項２の発明は、上記支持ポールが、上記長手方向に列設されてこの長手方向で互いに摺動可能に嵌合する複数の筒状体を備えている。
【００１７】
ここで、上記支持ポールの各筒状体は単純な形状であるため、上記撮影装置の構成は更に簡単となる。
【００１８】
請求項３の発明は、上記各筒状体の横断面をそれぞれ長方形状にしてある。
【００１９】
このため、上記支持ポールを斜め上方やほぼ水平方向に伸長させて撮影をする場合、上記各筒状体の横断面の長辺と短辺のうち、長辺が縦向きとなるようにすれば、この支持ポールの横断面の面積を小さくしたままで、上記支持ポールの断面二次モーメントを大きくできる。
【００２０】
よって、上記支持ポールは、その全長を長くしても、その自重やカメラの重量に対抗でき、つまり、この撮影装置は構成が簡単で小形なものでありながら、被写体の存在位置についての自由度がより高くなる。
【００２１】
また、上記支持ポールの横断面は長方形状であるため、この支持ポールの軸心回りでの例えば上記長辺の延びる方向とカメラによる撮影方向との位置関係を予め定めておけば、上記支持ポールの一端部側の把持状態をこの支持ポールの軸心回りで選択することにより、カメラによる撮影方向を所望方向に定めることができて便利である。
【００２２】
請求項４の発明は、上記支持ポールの全長を最大寸法としたとき、この支持ポールの上記他端部側から一端部側に向けて数値が直線的に漸増する目盛を上記支持ポールに付してある。
【００２３】
このため、上記支持ポールを伸長させる場合、その他端部側から順次伸長させ、これにより、カメラを被写体に対し所望位置に位置させて、上記目盛を見れば、上記カメラや被写体の高さや位置を知ることができる。よって、撮影の状態を記録しておきたい場合などに、上記目盛が有効利用できる。
【発明を実施するための最良の形態】
【００２４】
本発明の撮影装置に関し、構成が簡単で、軽量にして持ち運びが容易にでき、しかも、被写体の存在位置についての自由度が高い撮影装置の提供をする、という目的を実現するため、本発明を実施するための最良の形態は、次の如くである。
【００２５】
即ち、撮影装置は、長手方向に向かって伸縮可能とされ、その一端部側が把持可能とされる支持ポールと、この支持ポールの全長を任意長さに保持可能とする保持具と、この支持ポールの他端部側に支持されるカメラとを備えている。
【実施例】
【００２６】
本発明をより詳細に説明するために、その実施例を添付の図に従って説明する。
【００２７】
図１―３において、符号１は撮影装置であり、この撮影装置１は、長手方向に向かって伸縮可能に収縮させられ、その一端部２側が把持可能とされる支持ポール３と、この支持ポール３の全長Ｌを任意長さに保持可能とする保持具４と、上記支持ポール３の他端部５側に締結具６により着脱可能に支持されるデジタル式のカメラ７とを備えている。このカメラ７のシャッターはタイマー式と遠隔操作式とのうち、少なくともいずれか一方の方式が採用されている。
【００２８】
上記支持ポール３は、上記長手方向に列設されてこの長手方向で互いに摺動可能に嵌合する複数（５本）のアルミ製筒状体１１―１５を備えている。これら各筒状体１１―１５はそれぞれ横断面が矩形の長方形状をなし、これら各筒状体１１―１５を個別にみれば、その断面形状はそれぞれの長手方向で一定であるが、これら各筒状体１１―１５の断面形状を対比すれば、この支持ポール３の一端部２から他端部５に向けて漸次小さくされている。
【００２９】
上記支持ポール３の各筒状体１１―１５のうち、支持ポール３の一端部２側の端部の筒状体１１が撮影者などにより把持可能とされ、支持ポール３の他端部５側の端部の筒状体１５の自由端部に上記カメラ７が支持されている。また、上記各筒状体１１―１５の横断面の長辺と短辺のうち、長辺が延びる方向と、上記カメラ７による撮影方向とは互いに同じ方向とされている。
【００３０】
上記保持具４は、上記支持ポール３の一端部２側の筒状体１１の自由端部に固着される閉じ蓋１６と、他の各筒状体１２―１５における上記支持ポール３の一端部２側の端部に固着される樹脂製のハウジング１７と、このハウジング１７の内部に収容されこの内部から上記他の各筒状体１２―１５の外方に向かって突出、後退可能となるよう支持される嵌合突起１８と、この嵌合突起１８を突出方向に付勢するばね１９と、上記各筒状体１１―１４における上記支持ポール３の他端部５側の端部に形成される嵌合孔２０とを備えている。
【００３１】
図１―３で示すように、上記支持ポール３を収縮させたとき、上記支持ポール３の長手方向で互いに隣り合う両筒状体１１―１５（例えば筒状体１１，１２）のうち、この支持ポール３の一端部２側に位置する筒状体１１―１４（筒状体１１）に固着されるた閉じ蓋１６と各ハウジング１７とに対し、支持ポール３の他端部５側に位置する筒状体１２―１５（筒状体１２）における支持ポール３の一端部２側の端部（下端部）が当接して、支持ポール３のそれ以上の収縮が阻止され、この状態が支持ポール３の全長Ｌの最小寸法とされる。
【００３２】
図４―６で示すように、上記各筒状体１１―１５を互いに摺動させて、支持ポール３を伸長させれば、上記支持ポール３の長手方向で互いに隣り合う両筒状体（例えば、筒状体１１，１２）のうち、この支持ポール３の一端部２側に位置する筒状体１１―１４（筒状体１１）に形成された各嵌合孔２０（嵌合孔２０）に、支持ポール３の他端部５側に位置する筒状体１２―１５（筒状体１２）に支持された嵌合突起１８が嵌脱可能に嵌入して、支持ポール３のそれ以上の伸長が阻止され、この状態が支持ポール３の全長Ｌの最大寸法とされる。
【００３３】
また、上記したように各筒状体１１―１４に固着された閉じ蓋１６と各ハウジング１７とに対し、これら各筒状体１１―１４よりも支持ポール３の他端部５側で隣り合う上記各筒状体１２―１５のいずれかにおける支持ポール３の一端部２側の端部（下端部）を選択して当接させ、また、上記各筒状体１１―１４の嵌合孔２０に、これら各筒状体１１―１４よりも支持ポール３の他端部５で隣り合う上記各筒状体１２―１５のいずれかの嵌合突起１８を選択して嵌合させれば、上記支持ポール３の全長Ｌを上記最小、最大寸法の間の任意長さにすることが可能である。
【００３４】
図４―６において、上記支持ポール３の全長Ｌを最大寸法としたとき、この支持ポール３の上記他端部５側から一端部２側に向けて数値が直線的に漸増する目盛２２が上記支持ポール３に付されている。
【００３５】
上記構成によれば、長手方向に向かって伸縮可能とされ、その一端部２側が把持可能とされる支持ポール３と、この支持ポール３の全長Ｌを任意長さに保持可能とする保持具４と、この支持ポール３の他端部５側に支持されるカメラ７とを備えている。
【００３６】
このため、例えば、図４で示すように、建築物２４の屋根２５上など高所における被写体を撮影しようとするときには、上記支持ポール３の全長Ｌを所望長さにまで伸長させて上記保持具４によりその長さに保持させると共に、上記支持ポール３の一端部２側を把持して、この支持ポール３を縦向き姿勢にさせ、次に、この支持ポール３を静止させてこの支持ポール３の他端部５に支持したカメラ７により、上記屋根２５上の被写体を撮影すればよく、このようにすれば、撮影のし難いところの被写体についての撮影が可能となる。
【００３７】
ここで、上記支持ポール３は単にその長手方向に伸縮可能なものであることから、この支持ポール３を主構成とする撮影装置１は構成が簡単で、軽量にして持ち運びが容易にできるという利点がある。
【００３８】
また、上記支持ポール３をその一端部２側から他端部５側に向けて下傾させ、もしくは、ほぼ水平にさせ、その一端部２側を把持するなどして、この支持ポール３を静止させれば、建築物２４の床下や暗渠の内部に存在する被写体についての撮影ができ、つまり、この撮影装置１によれば、被写体の存在位置についての自由度が高くなる。
【００３９】
また、前記したように、支持ポール３が、上記長手方向に列設されてこの長手方向で互いに摺動可能に嵌合する複数の筒状体１１―１５を備えている。
【００４０】
ここで、上記支持ポール３の各筒状体１１―１５は単純な形状であるため、上記撮影装置１の構成は更に簡単となる。
【００４１】
また、上記支持ポール３の各筒状体１１―１５の断面形状は矩形とされている。
【００４２】
このため、上記支持ポール３の一端部２を把持したとき、この支持ポール３がその軸心回りに自由に回転しようとすることは防止される。よって、上記締結具６の他端部５側に支持されたカメラ７の撮影方向を所望方向に固定させることが容易、かつ、より確実にできる。
【００４３】
また、前記したように、各筒状体１１―１５の横断面をそれぞれ長方形状にしてある。
【００４４】
このため、上記支持ポール３を斜め上方やほぼ水平方向に伸長させて撮影をする場合、上記各筒状体１１―１５の横断面の長辺と短辺のうち、長辺が縦向きとなるようにすれば、この支持ポール３の横断面の面積を小さくしたままで、上記支持ポール３の断面二次モーメントを大きくできる。
【００４５】
よって、上記支持ポール３は、その全長Ｌを長くしても、その自重やカメラ７の重量に対抗でき、つまり、この撮影装置１は構成が簡単で小形なものでありながら、被写体の存在位置についての自由度がより高くなる。
【００４６】
また、上記支持ポール３の横断面は長方形状であるため、この支持ポール３の軸心回りでの例えば上記長辺の延びる方向とカメラ７による撮影方向との位置関係を予め定めておけば、上記支持ポール３の一端部２側の把持状態をこの支持ポール３の軸心回りで選択することにより、カメラ７による撮影方向を所望方向に定めることができて便利である。
【００４７】
また、前記したように、上記支持ポール３の全長Ｌを最大寸法としたとき、この支持ポール３の上記他端部５側から一端部２側に向けて数値が直線的に漸増する目盛２２を上記支持ポール３に付してある。
【００４８】
このため、上記支持ポール３を伸長させる場合、その他端部５側の筒状体から順次伸長させ、これにより、カメラ７を被写体に対し所望位置に位置させて、上記目盛２２を見れば、上記カメラ７や被写体の高さや位置を知ることができる。よって、撮影の状態を記録しておきたい場合などに、上記目盛２２が有効利用できる。
【００４９】
なお、以上は図示の例によるが、上記支持ポール３の筒状体１１―１５の断面形状は円形でも、矩形のうちの正方形状であってもく、本数は６本以上であってもよい。
【図面の簡単な説明】
【００５０】
【図１】支持ポールを収縮させた場合の撮影装置の側面部分破断図である。
【図２】図１の２‐２線矢視断面図である。
【図３】図２の３‐３線矢視断面図である。
【図４】支持ポールを伸長させた場合の撮影装置の側面部分破断図である。
【図５】図４の５‐５線矢視断面図である。
【図６】図５の６‐６線矢視断面図である。
【符号の説明】
【００５１】
１    撮影装置
２    一端部
３    支持ポール
４    保持具
５    他端部
７    カメラ
１１  筒状体
１２  筒状体
１３  筒状体
１４  筒状体
１５  筒状体
２２  目盛
Ｌ    全長
【図１】
2005215350.tif 000003
【図２】
2005215350.tif 000004
【図３】
2005215350.tif 000005
【図４】
2005215350.tif 000006
【図５】
2005215350.tif 000007
【図６】
2005215350.tif 000008